(57)【要約】【課題】  作業機械に対するバッテリーの着脱時における作業者の負担を軽減する。【解決手段】  旋回体の例えばサイドデッキ２６にバッテリー載置面３２を有するバッテリー支持板３０を固定する。バッテリーＢＴを覆うバッテリーカバー４０には外側拘束部４６を設けて、このバッテリーカバー４０の装着時に前記外側拘束部４６がバッテリーＢＴに当接または近接するようにし、同カバー４０を取り外した状態でバッテリーＢＴがバッテリー載置面３２に沿って旋回体の幅方向外側に引出し可能となるようにする。【選択図】      図５
2007062680.tif 000002
【特許請求の範囲】
【請求項１】
走行体上に旋回体が旋回可能に搭載された作業機械にバッテリーを固定するための構造であって、前記旋回体の側面下部に設けられ、前記バッテリーが載置されるバッテリー載置面を有するバッテリー支持部材と、このバッテリー支持部材の載置面上に載置されるバッテリーを前記旋回体の幅方向に対して直交する方向から拘束するバッテリー拘束手段と、前記バッテリー支持部材上に載置されるバッテリーを前記旋回体の幅方向外側から覆うように当該旋回体に着脱可能に装着されるバッテリーカバーとを備え、このバッテリーカバーは、前記旋回体に装着された状態で前記バッテリーに対して前記旋回体の幅方向外側から当接または近接することにより当該バッテリーを拘束する外側拘束部を有し、当該バッテリーカバーを前記旋回体から取り外した状態で前記バッテリーが前記バッテリー支持部材のバッテリー載置面に沿って前記旋回体の幅方向外側に引出し可能となるように構成されていることを特徴とする作業機械のバッテリー固定構造。
【請求項２】
請求項１記載の作業機械のバッテリー固定構造において、前記外側拘束部は前記バッテリーカバーの外側壁の裏面から部分的に内向きに突出するものであることを特徴とする作業機械のバッテリー固定構造。
【請求項３】
請求項２記載の作業機械のバッテリー固定構造において、前記バッテリーカバーの外側壁が部分的に前記旋回体の幅方向内側に凹んでおり、その凹み部分が前記外側拘束部を構成していることを特徴とする作業機械のバッテリー固定構造。
【請求項４】
請求項１〜３のいずれかに記載の作業機械のバッテリー固定構造において、前記バッテリーカバーは、前記外側拘束部に加え、前記バッテリー拘束手段の一部を構成する補助拘束部を有することを特徴とする作業機械のバッテリー固定構造。
【請求項５】
請求項１〜４のいずれかに記載の作業機械のバッテリー固定構造において、前記バッテリーカバーは、当該バッテリーカバーが前記旋回体に装着された状態で前記バッテリーの上面を当該バッテリーカバーの外部に開放する開口部を有するとともに、この開口部を開閉する蓋を備えることを特徴とする作業機械のバッテリー固定構造。
【請求項６】
請求項１〜５のいずれかに記載の作業機械のバッテリー固定構造において、前記バッテリーカバーは、前記旋回体上に設けられる運転席に対して乗降するためのステップ部を有することを特徴とする作業機械のバッテリー固定構造。
【発明の詳細な説明】
【技術分野】
【０００１】
本発明は、油圧ショベル等の作業機械に搭載されるバッテリーを固定するための構造に関するものである。
【背景技術】
【０００２】
従来、油圧ショベル等の作業機械にバッテリーを固定する場所として、旋回体の側面下部（例えば運転席の直下方の部位）が選定されたものが知られている（特許文献１）。このような箇所にバッテリーを固定するための構造の例を図１０に示す。
【０００３】
同図に示すサイドデッキ９０は、旋回体の側面下部を構成するものであり、このサイドデッキ９０から前記旋回体の幅方向外側（図では手前側）にバッテリー支持板９２が突設されている。このバッテリー支持板９２は、図例では２個のバッテリーＢＴが載置されるバッテリー載置面９２ａを有し、このバッテリー載置面９２ａ上には、前記バッテリーＢＴの長手方向が前後方向を向く姿勢で当該前後方向に両バッテリーＢＴが並ぶように載置される。
【０００４】
前記バッテリー載置面９２ａ上の所定位置には、両バッテリーＢＴの下部を旋回体の幅方向外側から拘束する外側拘束板９４と、前後のバッテリーＢＴをそれぞれ旋回体の前側（図１０では左側）及び後側（図１０では右側）からそれぞれ拘束する前後拘束板９５，９６とが突設されており、これら拘束板９４〜９６と前記サイドデッキ９０とで囲まれた領域に両バッテリーＢＴが載置されることにより、これらのバッテリーＢＴが四方から拘束されるようになっている。
【０００５】
さらに、両バッテリーＢＴの前後方向の隙間には上下方向の長尺ボルト９７が挿入されて前記バッテリー支持板９２に設けられた図略のねじ孔にねじ込まれるとともに、当該長尺ボルト９７の頭部と両バッテリーＢＴの上面との間に押え板９８が挟み込まれることにより、この押え板９８が両バッテリーＢＴを上から押え込むようになっている。そして、この固定状態の両バッテリーＢＴを外側から覆うようにバッテリーカバー１００が前記サイドデッキ９０に着脱可能に装着されるようになっている。
【０００６】
この構造において、前記バッテリーＢＴの交換は次のような手順で行われる。
【０００７】
１）サイドデッキ９０からバッテリーカバー１００を取り外す。
【０００８】
２）長尺ボルト９７及び押え板９８を取り外す。
【０００９】
３）バッテリーＢＴを把持して各拘束板９４〜９６の上端よりも高い位置まで持ち上げ、その高さ位置から手前に（旋回体の幅方向外側に）引き出す。
【００１０】
４）１）〜３）と逆の手順で新しいバッテリーＢＴをセットする。
【特許文献１】特開平１１−１９３５４８号公報
【発明の開示】
【発明が解決しようとする課題】
【００１１】
前記構造では、作業機械からバッテリーＢＴを取り外すのに、バッテリーカバー１００及び長尺ボルト９７等を取り外した後、前記バッテリーＢＴを各拘束板９４〜９６の上端よりも高い位置まで持ち上げてから引出さなければならず、逆に、バッテリーＢＴを搭載するには当該バッテリーＢＴを前記各拘束板９４〜９６の上端よりも高い位置からこれら拘束板９４〜９６及びサイドデッキ９０で囲まれた領域内に正確に嵌め込まなければならない。これらの作業は面倒であり、前記バッテリーＢＴの重量が大きいほど作業者の負担も大きくなる。
【００１２】
本発明は、このような事情に鑑み、作業機械におけるバッテリー着脱時の作業者の負担を軽減することを目的とする。
【課題を解決するための手段】
【００１３】
前記課題を解決するための手段として、本発明は、走行体上に旋回体が旋回可能に搭載された作業機械にバッテリーを固定するための構造であって、前記旋回体の側面下部に設けられ、前記バッテリーが載置されるバッテリー載置面を有するバッテリー支持部材と、このバッテリー支持部材の載置面上に載置されるバッテリーを前記旋回体の幅方向に対して直交する方向から拘束するバッテリー拘束手段と、前記バッテリー支持部材上に載置されるバッテリーを前記旋回体の幅方向外側から覆うように当該旋回体に着脱可能に装着されるバッテリーカバーとを備え、このバッテリーカバーは、前記旋回体に装着された状態で前記バッテリーに対して前記旋回体の幅方向外側から当接または近接することにより当該バッテリーを拘束する外側拘束部を有し、当該バッテリーカバーを前記旋回体から取り外した状態で前記バッテリーが前記バッテリー支持部材のバッテリー載置面に沿って前記旋回体の幅方向外側に引出し可能となるように構成されているものである。
【００１４】
このような構造によれば、バッテリーの着脱の際、旋回体からバッテリーカバーを取り外した状態で、バッテリー載置面上に載置されているバッテリーを当該バッテリー載置面に沿ってそのまま旋回体の幅方向外側に引き出し、また逆に当該バッテリー載置面に沿って所定位置（バッテリー拘束手段により拘束可能となる位置）まで押し込むことができるので、前記図１０に示した構造のようにバッテリー取り外しの際に当該バッテリーをバッテリー載置面から大きく持ち上げる作業や、バッテリー搭載の際に当該バッテリーを特定領域内に上からはめ込む作業は不要であり、作業者の負担は大幅に軽減される。しかも、前記バッテリー載置面上において前記バッテリーが前記バッテリー拘束手段により拘束された状態で、前記旋回体に前記バッテリーカバーを装着すれば、このバッテリーカバーの外側拘束部が前記バッテリーに対して旋回体の幅方向外側から当接または近接することにより当該バッテリーを拘束するため、従来の構造と同様に前記バッテリーを安定した状態で前記バッテリー載置面上に固定することができる。
【００１５】
前記外側拘束部としては、例えば、前記バッテリーカバーの外側壁の裏面から部分的に内向きに突出するものが、好適である。
【００１６】
その場合、当該外側拘束部をバッテリーカバーの外側壁と別の部材で構成するようにしてもよいが、前記バッテリーカバーの外側壁を部分的に前記旋回体の幅方向内側に凹ませて、その凹み部分を前記外側拘束部とすれば、部品点数が削減されるとともに、前記凹み部分をバッテリーカバーの意匠面あるいは工具等の収納空間の形成壁として兼用することが可能になる。
【００１７】
前記バッテリーカバーは、前記外側拘束部に加え、前記バッテリー拘束手段の一部を構成する補助拘束部を有するものであってもよい。すなわち、前記バッテリー拘束手段の一部がバッテリーカバー側にあってもよい。
【００１８】
また、前記バッテリーカバーは、当該バッテリーカバーが前記旋回体に装着された状態で前記バッテリーの上面を当該バッテリーカバーの外部に開放する開口部を有するとともに、この開口部を開閉する蓋を備える構成とすれば、当該バッテリーカバーを旋回体から取り外さなくても、その蓋を開いて前記開口部からバッテリー上面をカバー外部に開放させることにより、当該バッテリーのメンテナンスを行うことが可能になる。
【００１９】
また、前記バッテリーカバーが、前記旋回体上に設けられる運転席に対して乗降するためのステップ部を有するものであれば、当該バッテリーカバーを前記運転席への足場として兼用することが可能になる。
【発明の効果】
【００２０】
以上のように、本発明によれば、バッテリー着脱の際に当該バッテリーを大きく昇降させる作業を不要にすることにより、作業者の負担を有効に軽減することができる効果がある。
【発明を実施するための最良の形態】
【００２１】
本発明の好ましい実施の形態を図１〜図９を参照しながら説明する。
【００２２】
図１は、本発明の実施の形態に係る作業機械（図例では油圧ショベル）の本体部分、すなわちブーム等のアタッチメントを除いた部分を示したものである。
【００２３】
この作業機械は、走行体１０と、旋回体１２とを備え、前記走行体１０は、本体フレーム１４と、この本体フレーム１４の左右に設けられた走行用のクローラ１６とを備えている。そして、前記本体フレーム１４上に旋回体１２が垂直軸回りに旋回可能に支持されている。
【００２４】
前記旋回体１２は、図２に示すような底板１８を有している。この底板１８の後端部には図１に示すようなカウンタウエイト２０が搭載され、その前側の幅方向中央部に左右一対のブーム支持板２２が立設されている。さらに、このブーム支持板２２の左横（進行方向左横）にはキャブ支持部２３が形成され、このキャブ支持部２３上に運転席を含むキャブ２４が立設されるようになっている。
【００２５】
前記キャブ支持部２３は、前記旋回体１２の下部側面を構成するサイドデッキ２６と、このサイドデッキ２６よりも旋回体１２の幅方向内側に位置する内側デッキ２７と、これらサイドデッキ２６及び内側デッキ２７の前側に位置するフロントデッキ２８とを含んでいる。そして、前記サイドデッキ２６の外側面すなわち旋回体１２の側面下部に沿って、本発明に係るバッテリーの固定構造が構築されている。
【００２６】
この構造は、図２及び図５に示すようなバッテリー支持板３０と、図３〜図５に示すようなバッテリーカバー４０とを備えている。
【００２７】
前記バッテリー支持板３０は、前記サイドデッキ２６の下端から旋回体１２の幅方向外側（図５では右側）に向かって水平に突出し、その上面がバッテリー載置面３２となっている。
【００２８】
このバッテリー載置面３２には、図２に示すように２個のバッテリーＢＴが載置可能となっている。詳しくは、これらのバッテリーＢＴの長手方向が旋回体１２の前後方向となる姿勢で、その前後方向に所定間隔をおいて並ぶ配置で、両バッテリーＢＴが載置可能となっている。
【００２９】
前記バッテリー支持板３０の前後両端からはこれと一体に前側拘束板３３及び後側拘束板３４が立ち上がっており、これらの拘束板３３，３４の内側端が前記バッテリー支持板３０の内側端とともに前記サイドデッキ２６の外側面に溶接等で固定されている。両拘束板３３，３４は、それぞれ、前側に並ぶバッテリーＢＴに対して前後から当接または近接することにより両バッテリーＢＴを拘束する。
【００３０】
さらに、前記両バッテリーＢＴは、図５に示すような長尺ボルト３６及び押え板３８によって上側からも拘束を受けるようになっている。長尺ボルト３６は、前記両バッテリーＢＴ間に形成された前後方向の隙間に上から挿入されることによりスペーサの機能を果たすとともに、前記バッテリー支持板３０に設けられたねじ孔３７にねじ込み可能となっている。押え板３８は、前記長尺ボルト３６が挿通可能なボルト挿通孔３８ａを有しており、その挿通状態で前記長尺ボルト３６の頭部３６ａとバッテリーＢＴの上面との間に挟み込まれることにより、当該バッテリーＢＴを上から押え込むように構成されている。
【００３１】
従って、前記両拘束板３３，３４、長尺ボルト３６、及び押え板３８は、両バッテリーＢＴを旋回体１２の幅方向に対して直交する方向から拘束するバッテリー拘束手段を構成している。
【００３２】
前記バッテリーカバー４０は、カバー本体４１と、このカバー本体４１の前側に位置するステップ部４２とを一体に有している。前記カバー本体４１の後端部及びステップ部４２にはそれぞれボルト挿通孔４３，４４が設けられており、前記ボルト挿通孔４３に挿入された図略のボルトが前記サイドデッキ２６側に固定された固定座２９のねじ孔２９ａ（図２）にねじ込まれるとともに、前記ボルト挿通孔４４に挿入された図略のボルトがサイドデッキ２６に形成されたねじ孔２６ａ（図２）にねじ込まれることにより、当該サイドデッキ２６にバッテリーカバー４０が着脱可能に装着されるようになっている。
【００３３】
前記カバー本体４１は、前記装着状態において、バッテリー載置面３２上に載置された両バッテリーＢＴを上側、前後両側、及び旋回体１２の幅方向外側から覆う形状を有している。前記ステップ部４２は、前記装着状態において、図１に示すように前記キャブ２４のドア２５の直下方に位置して当該キャブ２４に対する乗降のための足場を構成するように、その配設位置が設定されている。
【００３４】
さらに、このバッテリー固定構造の特徴として、前記カバー本体４１の外側壁の裏面には、外側拘束部材４６が内向きに突設されている。
【００３５】
この外側拘束部材４６は、図例では、板材を平面視コ字状に折り曲げて形成されたものであり、その両端が前記カバー本体４１の外側壁裏面に溶接等で固定されている。この外側拘束部材４６の位置及び前記外側壁裏面からの突出量Ｐ（図５）は、このバッテリーカバー４０が前記サイドデッキ２６に装着され、かつ、前記両バッテリーＢＴが前記サイドデッキ２６に当接する位置で前記バッテリー載置面３２上に載置された状態で、前記外側拘束部材４６の先端面が前記両バッテリーＢＴの外側面に当接または近接することにより当該バッテリーＢＴを拘束するように、設定されている。
【００３６】
また、前記カバー本体４１には、上向き及び外向きに開口する開口部４７（図４（ａ））が形成されるとともに、この開口部４７を開閉する蓋４８が取付けられており、この蓋４８を開いた状態で前記バッテリーＢＴの上面がカバー外部に開放されるようになっている。具体的には、前記蓋４８は前記開口部４７を上側及び旋回体幅方向外側から覆う断面略Ｌ字状をなし、その下部の適当な部位が水平軸回りに回動可能となるように前記カバー本体４１に取付けられている。
【００３７】
このバッテリー固定構造によれば、例えば次の要領で両バッテリーＢＴの交換を容易に行うことができる。
【００３８】
１）サイドデッキ２６からバッテリーカバー４０を取り外す。このバッテリーカバー４０の取り外しにより、バッテリーＢＴが旋回体１２の側方に大きく開放されるとともに、同カバー４０に設けられている外側拘束部材４６による旋回体幅方向外側からの拘束が解除されることになる。
【００３９】
２）ボルト３６による押え板３８の締付を緩める。すなわち、上側からのバッテリーＢＴの拘束を緩める。
【００４０】
３）バッテリーＢＴを把持し、そのままバッテリー支持板３０のバッテリー載置面３２に沿って手前側（旋回体幅方向外側）へ水平方向に前記バッテリーＢＴを引き出す。このとき、前記図１０に示した従来構造のようにバッテリーＢＴを大きく持ち上げる必要がなく、作業者の負担は大幅に軽減される。
【００４１】
４）３）と逆の要領で、新しいバッテリーＢＴをその背面がサイドデッキ２６に突き当る位置まで手前側から押し込む。このときも、前記バッテリーＢＴをバッテリー載置面３２に載せた状態で同面３２上をスライドさせながら前記サイドデッキ２６に向けて押し込めばよく、前記図１０に示した従来構造のように特定の被拘束領域内にバッテリーＢＴを上から降ろすといった難しい作業を要しない。
【００４２】
５）前記ボルト３６及び前記押え板３８により前記バッテリーＢＴを上側から押え込み、これらを覆うようにバッテリーカバー４０を装着する。この装着により、当該バッテリーカバー４０の外側拘束部材４６がバッテリーＢＴを旋回体幅方向外側から拘束する状態となり、バッテリーＢＴの固定が完了する。また、バッテリーカバー４０のステップ部４２は、左側クローラ１６の上面とキャブ２４のドア２５との間に介在する足場として機能する。
【００４３】
なお、前記バッテリーカバー４０には開口部４７及びこれを開閉する蓋４８が設けられているため、前記バッテリーＢＴの交換以外のメンテナンス作業（例えば補水作業、端子取外し作業、液量チェック作業）を行う際には、必ずしもバッテリーカバー４０を取り外す必要はない。すなわち、同カバー４０の蓋４８を開けば、カバー本体４１の開口部４７を通じてバッテリーＢＴの上面がカバー外部に開放されるため、その開口部４７を通じて前記のメンテナンス作業を行うことが可能である。
【００４４】
また、前記図１〜図５に示した構造では、バッテリー載置面３２上のバッテリーＢＴに対し、バッテリーカバー４０側の外側拘束部材４６によって旋回体幅方向外側からの拘束のみを行うようにし、それ以外の方向からの拘束はバッテリー支持板３０側の拘束板３３，３４及び押え板３８等で行うようにしているが、例えば図６に示すように、前記拘束板３３，３４を省略する代わりにバッテリーカバー４０の前後壁側にその内側面から内方に突出する補助拘束部材４６′を設け、これらの補助拘束部材４６′がバッテリーカバー４０の装着時に前後のバッテリーＢＴに対してその前側及び後側から当接または近接するようにしてもよい。あるいは、前記拘束板３３，３４のいずれか一方を省略してこれに対応する補助拘束部材４６′のみをバッテリーカバー４０に設けるようにしてもよい。
【００４５】
また、本発明に係る「外側拘束部」は、必ずしもバッテリーカバー４０のカバー本体４１を構成する部材と別部材により構成されたものでなくてもよく、例えば図７（ａ）（ｂ）に示すように、カバー本体４１の外側壁４１ａの適当な部分を旋回体幅方向内側に凹ませて単数または複数（図７に示す例では３個）の凹部４１ｂ，４１ｃ，４１ｄを形成し、これらの凹部４１ｂ〜４１ｄを外側拘束部として用いるようにしてもよい。このような構造では、前記凹部４１ｂ〜４１ｄをバッテリーカバー４０の意匠面と前記外側拘束部とに兼用できる利点がある。
【００４６】
あるいは、前記凹部の凹み深さを大きく設定することにより、その凹部をカバー外側に開放された収納空間（例えば工具箱）として活用することも可能である。図８に示す例では、深さ寸法が大きく設定された凹部４１ｅがバッテリーＢＴを旋回体幅方向外側から拘束する外側拘束部と収納空間５０を囲む壁とを兼ねており、当該収納空間５０を開閉する蓋４９がカバー本体４１の外側壁４１ａに回動可能に取付けられている。
【００４７】
その他、本発明は例えば次のような実施の形態をとることも可能である。
【００４８】
・本発明において、搭載されるバッテリーＢＴの個数やレイアウトは特に問わない。例えば旋回体幅方向にバッテリー収納スペースの余裕がある場合には、図９に示すように当該旋回体幅方向（図ではサイドデッキ２６に対して略直交する方向）に複数のバッテリーＢＴを配列するようにしてもよい。
【００４９】
・旋回体に対してバッテリーカバーを着脱可能にするための構造も、図例のものに限られない。例えば、図１に示されるサイドデッキ２６に対してバッテリーカバー４０の前後方向の一端部を回動可能に連結し、他端部に前記サイドデッキ２６に対して着脱可能に係合される係合部（ロック機構）を設けるようにしてもよい。すなわち、バッテリーカバー４０を開閉式にしてもよい。
【図面の簡単な説明】
【００５０】
【図１】本発明の実施の形態に係る作業機械の外観を示す斜視図である。
【図２】前記作業機械における旋回体のフレーム構造を示す斜視図である。
【図３】図２に示すフレーム構造へのバッテリーカバーの取付状態を示す要部斜視図である。
【図４】（ａ）は前記バッテリーカバーを外側から見た斜視図、（ｂ）は同カバーを内側から見た斜視図である。
【図５】前記バッテリーカバーの装着状態を示す断面正面図である。
【図６】前記バッテリーカバーに外側拘束部に加えて補助拘束部が設けられた実施の形態を示す斜視図である。
【図７】（ａ）は外側壁に外側拘束部を構成する凹部が形成されたバッテリーカバーを示す斜視図、（ｂ）は同カバーの装着状態を示す断面正面図である。
【図８】外側壁に外側拘束部と収納空間形成壁とを兼ねる凹部が形成されたバッテリーカバーの装着状態を示す断面正面図である。
【図９】バッテリー載置面上に２つのバッテリーが旋回体幅方向に配列された例を示す斜視図である。
【図１０】従来のバッテリー固定構造の例を示す斜視図である。
【符号の説明】
【００５１】
ＢＴ    バッテリー
１０    走行体
１２    旋回体
２４    キャブ
２５    ドア
２６    サイドデッキ
３０    バッテリー支持板
３２    バッテリー載置面
３３    前側拘束板（バッテリー拘束手段）
３４    後側拘束板（バッテリー拘束手段）
３６    長尺ボルト（バッテリー拘束手段）
３６ａ  頭部
３８    押え板（バッテリー拘束手段）
４０    バッテリーカバー
４１    カバー本体
４１ａ  外側壁
４１ｂ〜４１ｅ  凹部
４２    ステップ部
４６    外側拘束部材
４６′  補助拘束部材
４７  開口部
４８  蓋
５０  収納空間
【図１】
2007062680.tif 000003
【図２】
2007062680.tif 000004
【図３】
2007062680.tif 000005
【図４】
2007062680.tif 000006
【図５】
2007062680.tif 000007
【図６】
2007062680.tif 000008
【図７】
2007062680.tif 000009
【図８】
2007062680.tif 000010
【図９】
2007062680.tif 000011
【図１０】
2007062680.tif 000012